(57)【要約】【課題】  塗装過程において大型プラスチック成形品を変形させることなく保持することのできる塗装治具を提供する。【解決手段】  赤外線乾燥炉を備えた塗装装置内で大型プラスチック成形品を吊り下げて保持する塗装治具４であって、この塗装治具４は、熱膨脹による歪み変形が生じない金網６で構成され、この金網６の大型プラスチック成形品の裏面と接する側の面には、ガラスクロス，カーボンクロスの積層面７が一体化されている。また、金網６の表面には、フロン入りの耐熱性塗料の膜が形成されている。【選択図】        図３
2006026562.tif 000002
【特許請求の範囲】
【請求項１】
赤外線乾燥手段を備えた塗装装置内で被塗装物である大型プラスチック成形品を吊り下げ保持する塗装治具であって、該塗装治具は、熱膨脹による歪み変形が生じない金網で形成されているとともに、該金網には、前記被塗装物の裏面と接する面にガラスクロス，カーボンクロスの積層面が一体化されていることを特徴とする塗装治具。
【請求項２】
前記金網の表面にはフロン入り耐熱塗料による塗装膜が形成されていることを特徴とする請求項１に記載の塗装治具。
【発明の詳細な説明】
【技術分野】
【０００１】
本発明は、被塗装物である大型プラスチック成形品を、加熱乾燥式の赤外線乾燥手段を備えた塗装装置内で吊り下げ保持する塗装治具に関するものである。
【背景技術】
【０００２】
従来、大型プラスチック成形品を塗装する際には、大型プラスチック成形品を治具で吊り下げ保持した状態で塗装装置の赤外線乾燥炉内に送っている。
【特許文献１】特開平５−０５７２３７号公報
【発明の開示】
【発明が解決しようとする課題】
【０００３】
従来、塗装装置の赤外線乾燥炉内を移送される際に、炉内温度は１３０℃〜１８０℃程度となっており、この炉内で、例えばＦＲＰ製の吊り下げ塗装治具が熱により面膨脹し、これにより歪みが生じやすく、塗装治具に熱膨脹歪みが生ずると、塗装治具に保持されている大型プラスチック成形品に変形が生じやすくなるという問題点があった。
【課題を解決するための手段】
【０００４】
本発明は上記従来の問題点に鑑み案出したものであって、大型プラスチック成形品に変形を生じさせることのない塗装治具を提供せんことを目的とし、その請求項１は、赤外線乾燥手段を備えた塗装装置内で被塗装物である大型プラスチック成形品を吊り下げ保持する塗装治具であって、該塗装治具は、熱膨脹による歪み変形が生じない金網で形成されているとともに、該金網には、前記被塗装物の裏面と接する面にガラスクロス，カーボンクロスの積層面が一体化されていることである。
また、請求項２は、前記金網の表面にはフロン入り耐熱塗料による塗装膜が形成されていることである。
【発明の効果】
【０００５】
本発明の大型プラスチック成形品を吊り下げ保持する塗装治具は、熱膨脹による歪み変形が生じない金網で形成されているとともに、金網には、大型プラスチック成形品の裏面と接する面にガラスクロス，カーボンクロスの積層面が一体化されていることにより、大型プラスチック成形品が塗装治具に保持されて赤外線乾燥炉内を移送される際に熱を受けても、塗装治具は金網で形成されているため、内側へは膨脹が生じても外側へ膨脹することがなく、熱による変形歪みが生じにくくなり、そのため大型プラスチック成形品を変形させることがない。
また、金網の大型プラスチック成形品の裏面と接する側には、ガラスクロス，カーボンクロスの積層面が一体化されているため、この平滑な積層面が大型プラスチック成形品に接触し、大型プラスチック成形品に金網の凹凸が影響を与えることがなく、大型プラスチック成形品が変形することがない。なお、ガラスクロス，カーボンクロスの積層面が存在しないと、大型プラスチック成形品に金網の凹凸が移ってしまい不良品となってしまう。
【０００６】
また、金網の表面にはフロン入り耐熱塗料による塗装膜が形成されていることにより、金網に塗料が付着したような場合でも、フロン入り耐熱塗料による塗装膜が形成されているため、例えば化成ソーダ液等で容易に付着した塗料を落とすことができ、塗装治具の掃除がしやすいものとなる。
【実施例】
【０００７】
以下、本発明の実施例を図面に基づいて説明する。
図１は、塗装装置における赤外線乾燥炉の内部概略図であり、塗装装置の一部をなす赤外線乾燥炉１内には、間隔をおいて複数の赤外線ランプ１ａ，１ａ，１ａが設けられており、赤外線ランプ１ａ，１ａ，１ａからの赤外線により、塗装された被塗装物が乾燥されるものである。
【０００８】
内部の天井側には、ガイドレール２が設けられており、このガイドレール２に吊り下げフック３を介して複数の塗装治具４，４が吊り下げ支持されており、各塗装治具４に被塗装物である大型プラスチック成形品５が保持されて、ガイドレール２に沿って徐々に移送されて乾燥されるものである。
【０００９】
図２のように、大型プラスチック成形品５には予め上部及び下部部位に貫通孔５ａ，５ａ，５ａが形成されており、この貫通孔５ａは組立て時等にビス，ボルト等を通すために形成されているものである。
【００１０】
図２のような形状の大型プラスチック成形品５を吊り下げ保持するために、大型プラスチック成形品５の裏側面と同形状の曲面の塗装治具４が用いられており、例えば図３に示すように、塗装治具４は、鉄，アルミニウム，ステンレス製等の金網６で大型プラスチック成形品５の裏面と同形状に形成されている。
【００１１】
この図３の塗装治具４を構成する金網６は、複数の縦材６ａ，６ａと複数の横材６ｂ，６ｂで構成されて、プレス型により大型プラスチック成形品５の裏面と同形状をなすように曲面状に形成されており、プレス成形される際に、補強用に裏側へ膨出状にリブ部Ｐ，Ｐが一体形成されたものである。なお、リブ部は、金網６全体に縦，横，斜め等に凹または凸条に形成しておくこともでき、リブ部で金網６の歪みを防ぐことができる。
【００１２】
なお、図６の要部縦断面拡大構成図で示すように、金網６に、吹き付け，どぶ付け，焼き付け等により、フロン入り耐熱塗料の塗装膜１０を形成させておくと、後に金網６に塗料が付着した場合でも、容易に付着した塗料を化成ソーダ液等で落とすことができ、塗装治具４の掃除が容易なものとなる。
なお、図５は、金網６の要部を拡大した斜視構成図である。
【００１３】
なお、金網６の上端縁及び下端縁には、間隔をおいて円錐形状等の係入ピン８，８，８を形成させておき、各係入ピン８，８，８が、大型プラスチック成形品の貫通孔５ａ内に嵌め込みできるように構成されている。
また、金網６には、ガイドレール２から垂設される吊り下げフック３と連結するために吊り下げ用ナット９，９，９が上縁に設けられている。
なお、吊り下げ用ナット９内に吊り下げフック３の下端を螺合させて、吊り下げフック３に吊り下げ用ナット９を介して塗装治具４を吊り下げ状に設置できるものである。
【００１４】
また、この金網６の大型プラスチック成形品５の裏面に接触する側の面には、積層面７が一体化されている。
この積層面７は、ガラスクロス，カーボンクロスを耐熱性の硬化樹脂で積層させ、完全に熱硬化させて形成したものであり、大型プラスチック成形品５の裏面と同形の型内でガラスクロス，カーボンクロスを耐熱性の硬化樹脂を介在させて積層厚が０．５mm〜０．７mm位になるように積層形成されたものであり、この積層面７と金網６は、耐熱性接着剤によって一体化されている。なお、ガラスクロス，カーボンクロスの積層厚が０．７mm以上となると、膨張のおそれがあるため、それ以下の積層厚が好ましい。
【００１５】
このような金網６と積層面７を一体化させた塗装治具４を用いて、図４に示すように、大型プラスチック成形品５を吊り下げ保持することができ、大型プラスチック成形品５の裏面にピッタリと塗装治具４が図４のように当接し、大型プラスチック成形品５を強固に保持することができ、しかも係入ピン８，８，８が貫通孔５ａ，５ａ，５ａ内に係入されて、しっかりと塗装治具４で大型プラスチック成形品５を保持できるものである。
【００１６】
しかも、大型プラスチック成形品５の裏側面には、平滑なガラスクロス，カーボンクロス製の積層面７がピッタリと密着状に当接されるため、金網６は直接、大型プラスチック成形品５に接触することがなく、そのため、赤外線乾燥炉１内で大型プラスチック成形品５が熱により軟化した時にも、金網６の凹凸が大型プラスチック成形品５に影響を与えることがなく、平滑な積層面７で大型プラスチック成形品５の変形を防ぐことができるものである。
なお、金網６は熱膨脹が生じても、内側へ膨脹して、外周側には広がりが生じないために、金網６が変形することはなく、そのため大型プラスチック成形品５は全く変形のない状態で良好に赤外線乾燥炉１内で乾燥されるものとなる。
【００１７】
なお、本例では、大型プラスチック成形品５を例示しているが、その他の形状の大型プラスチック成形品５であっても、その大型プラスチック成形品５の裏面と同形状の、金網６と積層面７で構成される塗装治具４を用意して、この塗装治具４で、がたつくことなく大型プラスチック成形品５を保持して、良好に塗装が行えるものである。
【図面の簡単な説明】
【００１８】
【図１】赤外線乾燥炉内の概略斜視構成図である。
【図２】大型プラスチック成形品の一例を示す拡大斜視構成図である。
【図３】塗装治具の一例を示す斜視構成図である。
【図４】図３の塗装治具で図２の大型プラスチック成形品を保持した状態の縦断面構成図である。
【図５】塗装治具を構成する金網の要部拡大斜視図である。
【図６】塗装治具の拡大縦断面構成図である。
【符号の説明】
【００１９】
１  赤外線乾燥炉（塗装装置）
１ａ  赤外線ランプ
２  ガイドレール
３  吊り下げフック
４  塗装治具
５  大型プラスチック成形品
５ａ  貫通孔
６  金網
６ａ  縦材
６ｂ  横材
７  ガラスクロス，カーボンクロスの積層面
８  係入ピン
９  吊り下げ用ナット
Ｐ  リブ部
【図１】
2006026562.tif 000003
【図２】
2006026562.tif 000004
【図３】
2006026562.tif 000005
【図４】
2006026562.tif 000006
【図５】
2006026562.tif 000007
【図６】
2006026562.tif 000008